(57)【要約】【課題】ＨＤＤの存在を隠匿して、ＨＤＤの保全性を高めることが可能なＨＤＤ搭載ＡＶ機器を提供する。【解決手段】ＡＶ情報をＨＤＤに記録し、ＨＤＤに記録されたＡＶ情報を再生し、ＨＤＤの存在を示す情報をテレビ等に表示するＨＤＤ搭載ＡＶ機器において、ＨＤＤの使用権限を有するユーザを認証するためのパスワードを登録しておき、ＨＤＤ隠しモードを設定したときに、ＨＤＤに対するアクセスとＨＤＤの存在を示す情報の表示とを禁止し、リモコン等から入力されたパスワードが登録されたパスワードと一致すると、ＨＤＤに対するアクセスとＨＤＤの存在を示す情報の表示との禁止を解除する。【選択図】図２
2008090880.tif 000002
【特許請求の範囲】
【請求項１】
ＡＶ（Audio-Visual）情報をＨＤＤ（Hard Disk Drive）に記録し、ＨＤＤに記録されたＡＶ情報を再生し、ＨＤＤの存在を示す情報を表示手段に表示するＨＤＤ搭載ＡＶ機器において、
前記ＨＤＤへのＡＶ情報の記録を予約する予約手段と、
前記ＨＤＤの使用権限を有するユーザを認証するためのパスワードを入力する入力手段と、
前記パスワードを前記ＨＤＤ毎に登録する登録手段と、
ＨＤＤ隠しモードを前記ＨＤＤ毎に設定する設定手段と、
各部を制御する制御手段と、を備え、
前記制御手段は、前記パスワードの表示手段への表示を禁止し、
前記ＨＤＤ隠しモードが設定されたときに、対応する前記ＨＤＤに対するアクセスと該ＨＤＤの存在を示す情報の表示とを禁止し、この後、前記入力手段により入力された前記パスワードが前記登録手段により登録された該ＨＤＤに対応する前記パスワードと一致すると、該ＨＤＤに対するアクセスと該ＨＤＤの存在を示す情報の表示との禁止を解除し、さらにこの後、前記入力手段により入力された前記パスワードが前記登録手段により登録された該ＨＤＤに対応する前記パスワードと一致したとき、各部への電力供給を停止するとき、または予め設定された時間に、再び該ＨＤＤに対するアクセスと該ＨＤＤの存在を示す情報の表示とを禁止し、
前記ＨＤＤ隠しモードが設定されたときに、前記予約手段により指定された記録開始時間になると、前記予約手段により指定された前記ＨＤＤに対するアクセスの禁止を解除して、前記予約手段により指定されたＡＶ情報を前記ＨＤＤへ記録しつつ、該記録動作が実行中であることを示す情報の表示および該記録動作の中断を禁止し、前記予約手段により指定された記録終了時間になると、前記ＨＤＤへのＡＶ情報の記録を停止して、再び前記ＨＤＤに対するアクセスを禁止し、
各部への電力供給を開始したときに、前記ＨＤＤ隠しモードが設定されていて、対応する前記ＨＤＤに対するアクセスが禁止されていなければ、該ＨＤＤに対するアクセスを禁止することを特徴とするＨＤＤ搭載ＡＶ機器。
【請求項２】
ＡＶ（Audio-Visual）情報をＨＤＤ（Hard Disk Drive）に記録し、ＨＤＤに記録されたＡＶ情報を再生し、ＨＤＤの存在を示す情報を表示手段に表示するＨＤＤ搭載ＡＶ機器において、
前記ＨＤＤの使用権限を有するユーザを認証するためのユーザ認証情報を入力する入力手段と、
前記ユーザ認証情報を登録する登録手段と、
ＨＤＤ隠しモードを設定する設定手段と、
前記ＨＤＤ隠しモードが設定されたときに、前記ＨＤＤに対するアクセスと前記ＨＤＤの存在を示す情報の表示とを禁止し、前記入力手段により入力された前記ユーザ認証情報が前記登録手段により登録された前記ユーザ認証情報と一致すると、前記ＨＤＤに対するアクセスと前記ＨＤＤの存在を示す情報の表示との禁止を解除する制御手段と、を備えたことを特徴とするＨＤＤ搭載ＡＶ機器。
【請求項３】
請求項２に記載のＨＤＤ搭載ＡＶ機器において、
前記制御手段は、前記ユーザ認証情報の表示手段への表示を禁止することを特徴とするＨＤＤ搭載ＡＶ機器。
【請求項４】
請求項２または請求項３に記載のＨＤＤ搭載ＡＶ機器において、
前記ＨＤＤへのＡＶ情報の記録を予約する予約手段を備え、
前記制御手段は、前記ＨＤＤ隠しモードが設定されたときに、前記予約手段により指定された記録開始時間になると、前記ＨＤＤに対するアクセスの禁止を解除して、前記予約手段により指定されたＡＶ情報を前記ＨＤＤへ記録しつつ、該記録動作が実行中であることを示す情報の表示および該記録動作の中断を禁止し、前記予約手段により指定された記録終了時間になると、前記ＨＤＤへのＡＶ情報の記録を停止して、再び前記ＨＤＤに対するアクセスを禁止することを特徴とするＨＤＤ搭載ＡＶ機器。
【請求項５】
請求項２ないし請求項４のいずれかに記載のＨＤＤ搭載ＡＶ機器において、
前記制御手段は、前記ＨＤＤに対するアクセスと前記ＨＤＤの存在を示す情報の表示との禁止を解除した後、前記入力手段により入力された前記ユーザ認証情報が前記登録手段に登録された前記ユーザ認証情報と一致したとき、各部への電力供給を停止するとき、または予め設定された時間に、再び前記ＨＤＤに対するアクセスと前記ＨＤＤの存在を示す情報の表示とを禁止することを特徴とするＨＤＤ搭載ＡＶ機器。
【請求項６】
請求項２ないし請求項５のいずれかに記載のＨＤＤ搭載ＡＶ機器において、
前記制御手段は、各部への電力供給を開始したときに、前記ＨＤＤ隠しモードが設定されていて、前記ＨＤＤに対するアクセスが禁止されていなければ、前記ＨＤＤに対するアクセスを禁止することを特徴とするＨＤＤ搭載ＡＶ機器。
【請求項７】
請求項２ないし請求項６のいずれかに記載のＨＤＤ搭載ＡＶ機器において、
前記ＨＤＤは複数あり、
前記登録手段は、前記ＨＤＤ毎に前記ユーザ認証情報を登録し、
前記設定手段は、前記ＨＤＤ毎に前記ＨＤＤ隠しモードを設定し、
前記制御手段は、前記ＨＤＤ隠しモードが設定されたときに、対応する前記ＨＤＤに対するアクセスと該ＨＤＤの存在を示す情報の表示とを禁止し、前記入力手段により入力された前記ユーザ認証情報が前記登録手段により登録された該ＨＤＤに対応する前記ユーザ認証情報と一致すると、該ＨＤＤに対するアクセスと該ＨＤＤの存在を示す情報の表示との禁止を解除することを特徴とするＨＤＤ搭載ＡＶ機器。
【発明の詳細な説明】
【技術分野】
【０００１】
本発明は、ＨＤＤ（Hard Disk Drive）にアクセスしてＡＶ（Audio-Visual）情報の再生と記録とを行うＨＤＤ搭載ＡＶ機器に関するものである。
【背景技術】
【０００２】
ＨＤＤ搭載ＡＶ機器として、例えばＨＤＤレコーダ、ビデオ一体型ＨＤＤレコーダ、ＨＤＤ一体型ＤＶＤ（Digital Versatile Disk）レコーダ、ＨＤＤおよびビデオ一体型ＤＶＤレコーダ、ＨＤＤ一体型テレビ、ＨＤＤおよびビデオ一体型テレビ、ＨＤＤおよびビデオおよびＤＶＤレコーダ一体型テレビ等がある。このようなＨＤＤ搭載ＡＶ機器には、別体のＨＤＤをケーブル等で接続して増設できるものや、１台のＨＤＤの記録領域をパーティション分けして複数のＨＤＤとみなすものもある。
【０００３】
一般的なＨＤＤ搭載ＡＶ機器では、誰でもリモコン等のキーを操作することで、ＨＤＤに対してアクセスできるようになっている。このため、他人によって勝手に、ＨＤＤの記録内容や使用状態が見られたり、ＨＤＤに記録された映像や音声等のＡＶ情報の再生、編集、または削除が行われたり、ＨＤＤにＡＶ情報が記録されたりする等の害を被ることがある。
【０００４】
一方、下記の特許文献１〜５には、記録媒体に記録した情報や記録媒体の記録領域を守るための技術が開示されている。特許文献１では、重要なデータ等を複数のデータ群に分割し、各データ群に参照情報と復元情報とを付加して、複数の既存のファイルに分散して追記保存している。特許文献２では、ＨＤＤに通常区画と隠し保全区画とを設け、隠し保全区画に関する情報を保全の理由によってコード化し、隠し保全区画に対するアクセスを、製造業者が専有する特別なソフトウェアおよびファームウェアによってのみ可能にしている。特許文献３では、パーソナルコンピュータから外部記憶メディアへのアクセスを、外部記憶メディア上で予め定めたアクセス管理プログラムで認証されることによってのみ可能にしている。特許文献４では、ＨＤＤまたはＤＶＤに対する情報の再生または記録の禁止または許可の設定内容をテレビ画面に表示し、入力された暗証番号が予め記憶された暗証番号と一致したときに、該設定内容を変更可能にしている。特許文献５では、コンピュータ本体から取り出し可能なＨＤＤの内部のフラッシュメモリにユーザを認証する認証情報を記憶しておき、コンピュータ本体からＨＤＤに入力された情報がフラッシュメモリの認証情報と一致したときに、ＨＤＤに対するアクセスを可能にしている。
【０００５】
【特許文献１】特開２００１−２８２６２１号公報
【特許文献２】特開２０００−１５５７１６号公報
【特許文献３】特開２００４−１１０５８８号公報
【特許文献４】特開２００６−１４８７１７号公報
【特許文献５】特開２００４−８６３３６号公報
【発明の開示】
【発明が解決しようとする課題】
【０００６】
上述した特許文献１、３、４、５では、ＨＤＤ等の記録媒体に記録した情報を隠蔽したり、記録媒体に対するアクセスを制限したりしているが、記録媒体の存在が誰に対しても明らかになっているので、他人によって追記ファイルリストの情報や認証情報等が盗聴されて、記録媒体に勝手にアクセスされてしまうおそれがある。一方、上述した特許文献２では、ＨＤＤの一部の領域を隠蔽しているが、該一部の領域に対してアクセスするには製造業者が専有する特別なソフトウェアおよびファームウェアが必要なので、一般家庭で使用されるＡＶ機器の分野では実用的ではない。また、該特別なソフトウェアおよびファームウェアをＡＶ機器に組み込んだとしても、他人によって勝手に該特別なソフトウェアおよびファームウェアが起動させられて、記録媒体にアクセスされてしまうおそれがある。
【０００７】
本発明は、上述した問題点を解決するものであって、その課題とするところは、ＨＤＤの存在を隠匿して、ＨＤＤの保全性を高めることが可能なＨＤＤ搭載ＡＶ機器を提供することにある。
【課題を解決するための手段】
【０００８】
本発明は、ＡＶ（Audio-Visual）情報をＨＤＤ（Hard Disk Drive）に記録し、ＨＤＤに記録されたＡＶ情報を再生し、ＨＤＤの存在を示す情報を表示手段に表示するＨＤＤ搭載ＡＶ機器において、ＨＤＤの使用権限を有するユーザを認証するためのユーザ認証情報を入力する入力手段と、ユーザ認証情報を登録する登録手段と、ＨＤＤ隠しモードを設定する設定手段と、該ＨＤＤ隠しモードが設定されたときに、ＨＤＤに対するアクセスとＨＤＤの存在を示す情報の表示とを禁止し、入力手段により入力されたユーザ認証情報が登録手段により登録されたユーザ認証情報と一致すると、ＨＤＤに対するアクセスとＨＤＤの存在を示す情報の表示との禁止を解除する制御手段とを備える。
【０００９】
このようにすると、ＨＤＤの使用権限を有するユーザが、ＨＤＤ隠しモードを設定することで、ＨＤＤに対するアクセスとＨＤＤの存在を示す情報の表示とが禁止されるので、ＨＤＤの存在が隠匿されて、他人がユーザ認証情報を盗聴する気にならず、勝手にＨＤＤの記録内容や使用状態を見たり、ＨＤＤに記録されたＡＶ情報の再生、編集、または削除を行ったり、ＨＤＤにＡＶ情報を記録したりする等の被害を防止することができ、ＨＤＤの保全性を高めることが可能となる。また、ＨＤＤの使用権限を有するユーザが、登録したユーザ認証情報と一致するユーザ認証情報を入力するだけで、容易かつ手軽に、ＨＤＤに対するアクセスとＨＤＤの存在を示す情報の表示との禁止が解除されて、ＨＤＤの存在が明らかになり、ＨＤＤの記録内容や使用状態を確認したり、ＨＤＤに記録されたＡＶ情報の再生、編集、または削除を行ったり、ＨＤＤにＡＶ情報を記録したりすることができる。
【００１０】
また、本発明の一実施形態では、上記ＨＤＤ搭載ＡＶ機器において、制御手段は、ユーザ認証情報の表示手段への表示を禁止する。
【００１１】
このようにすると、ユーザ認証情報が他人によって盗み見られるのを防止することができ、ＨＤＤの存在を確実に隠匿して、ＨＤＤの保全性を一層高めることが可能となる。
【００１２】
また、本発明の一実施形態では、上記ＨＤＤ搭載ＡＶ機器において、ＨＤＤへのＡＶ情報の記録を予約する予約手段を備え、制御手段は、ＨＤＤ隠しモードが設定されたときに、予約手段により指定された記録開始時間になると、ＨＤＤに対するアクセスの禁止を解除して、予約手段により指定されたＡＶ情報をＨＤＤへ記録しつつ、該記録動作が実行中であることを示す情報の表示および該記録動作の中断を禁止し、予約手段により指定された記録終了時間になると、ＨＤＤへのＡＶ情報の記録を停止して、再びＨＤＤに対するアクセスを禁止する。
【００１３】
このようにすると、予約されたＨＤＤへのＡＶ情報の記録を、他人に気づかれず、中断されることもなく、実行することができる。
【００１４】
また、本発明の一実施形態では、上記ＨＤＤ搭載ＡＶ機器において、制御手段は、ＨＤＤに対するアクセスとＨＤＤの存在を示す情報の表示との禁止を解除した後、入力手段により入力されたユーザ認証情報が登録手段に登録されたユーザ認証情報と一致したとき、各部への電力供給を停止するとき、または予め設定された時間に、再びＨＤＤに対するアクセスとＨＤＤの存在を示す情報の表示とを禁止する。
【００１５】
このようにすると、ＨＤＤに対するアクセスとＨＤＤの存在を示す情報の表示との禁止解除後に、ＨＤＤの使用権限を有するユーザが、登録したユーザ認証情報と一致するユーザ認証情報を入力することで、再びＨＤＤに対するアクセスとＨＤＤの存在を示す情報の表示とが禁止されるので、ＨＤＤの存在を隠匿して、ＨＤＤの保全性を高く維持することができる。また、ＨＤＤに対するアクセスとＨＤＤの存在を示す情報の表示との禁止解除後に、ＨＤＤの使用権限を有するユーザが、再びユーザ認証情報を入力してＨＤＤに対するアクセスとＨＤＤの存在を示す情報の表示とを禁止するのを忘れても、各部への電力供給を停止するときまたは予め設定された時間に、ＨＤＤに対するアクセスとＨＤＤの存在を示す情報の表示とが自動的に禁止されるので、ＨＤＤの存在を隠匿して、ＨＤＤの保全性を高く維持することができる。
【００１６】
また、本発明の一実施形態では、上記ＨＤＤ搭載ＡＶ機器において、制御手段は、各部への電力供給を開始したときに、ＨＤＤ隠しモードが設定されていて、ＨＤＤに対するアクセスが禁止されていなければ、ＨＤＤに対するアクセスを禁止する。
【００１７】
このようにすると、ＨＤＤ隠しモードが設定されていて、ＨＤＤに対するアクセスの禁止が解除されたときに、停電が生じても、その後復旧してＨＤＤ搭載ＡＶ機器の各部への電力供給が開始されたときに、ＨＤＤに対するアクセスが自動的に禁止されるので、ＨＤＤの存在を隠匿して、ＨＤＤの保全性を高く維持することができる。
【００１８】
また、本発明の一実施形態では、上記ＨＤＤ搭載ＡＶ機器において、ＨＤＤは複数あり、登録手段は、ＨＤＤ毎にユーザ認証情報を登録し、設定手段は、ＨＤＤ毎にＨＤＤ隠しモードを設定し、制御手段は、ＨＤＤ隠しモードが設定されたときに、対応するＨＤＤに対するアクセスと該ＨＤＤの存在を示す情報の表示とを禁止し、入力手段により入力されたユーザ認証情報が登録手段により登録された該ＨＤＤに対応するユーザ認証情報と一致すると、該ＨＤＤに対するアクセスと該ＨＤＤの存在を示す情報の表示との禁止を解除する。
【００１９】
このようにすると、ＨＤＤを増設したり、１台のＨＤＤの記録領域をパーティション分けして複数のＨＤＤとみなしたりしても、ユーザが隠匿したいＨＤＤに対してユーザ認証情報を登録して、ＨＤＤ隠しモードを設定することで、該ＨＤＤに対するアクセスと該ＨＤＤの存在を示す情報の表示とが禁止され、該ＨＤＤの存在が隠匿されて、該ＨＤＤの保全性を高めることが可能となる。
【００２０】
さらに、本発明の典型的な実施形態では、ＡＶ（Audio-Visual）情報をＨＤＤ（Hard Disk Drive）に記録し、ＨＤＤに記録されたＡＶ情報を再生し、ＨＤＤの存在を示す情報を表示手段に表示するＨＤＤ搭載ＡＶ機器において、ＨＤＤへのＡＶ情報の記録を予約する予約手段と、ＨＤＤの使用権限を有するユーザを認証するためのパスワードを入力する入力手段と、パスワードをＨＤＤ毎に登録する登録手段と、ＨＤＤ隠しモードをＨＤＤ毎に設定する設定手段と、各部を制御する制御手段とを備え、制御手段は、パスワードの表示手段への表示を禁止し、ＨＤＤ隠しモードが設定されたときに、対応するＨＤＤに対するアクセスと該ＨＤＤの存在を示す情報の表示とを禁止し、この後、入力手段により入力されたパスワードが登録手段により登録された該ＨＤＤに対応するパスワードと一致すると、該ＨＤＤに対するアクセスと該ＨＤＤの存在を示す情報の表示との禁止を解除し、さらにこの後、入力手段により入力されたパスワードが登録手段により登録された該ＨＤＤに対応するパスワードと一致したとき、各部への電力供給を停止するとき、または予め設定された時間に、再び該ＨＤＤに対するアクセスと該ＨＤＤの存在を示す情報の表示とを禁止し、ＨＤＤ隠しモードが設定されたときに、予約手段により指定された記録開始時間になると、予約手段により指定されたＨＤＤに対するアクセスの禁止を解除して、予約手段により指定されたＡＶ情報をＨＤＤへ記録しつつ、該記録動作が実行中であることを示す情報の表示および該記録動作の中断を禁止し、予約手段により指定された記録終了時間になると、ＨＤＤへのＡＶ情報の記録を停止して、再びＨＤＤに対するアクセスを禁止し、各部への電力供給を開始したときに、ＨＤＤ隠しモードが設定されていて、対応するＨＤＤに対するアクセスが禁止されていなければ、該ＨＤＤに対するアクセスを禁止する。
【００２１】
このようにすると、ＨＤＤの使用権限を有するユーザが、ＨＤＤ毎にＨＤＤ隠しモードを設定することで、対応するＨＤＤに対するアクセスと該ＨＤＤの存在を示す情報の表示とが禁止されるので、ＨＤＤの存在が隠匿されて、他人がパスワードを盗聴する気にならず、勝手にＨＤＤの記録内容や使用状態を見たり、ＨＤＤに記録されたＡＶ情報の再生、編集、または削除を行ったり、ＨＤＤにＡＶ情報を記録したりする等の被害を防止することができ、ＨＤＤの保全性を高めることが可能となる。また、ＨＤＤの使用権限を有するユーザが、登録したいずれかのパスワードと一致するパスワードを入力するだけで、容易かつ手軽に、対応するＨＤＤに対するアクセスと該ＨＤＤの存在を示す情報の表示との禁止が解除されて、ＨＤＤの存在が明らかになり、ＨＤＤの記録内容や使用状態を確認したり、ＨＤＤに記録されたＡＶ情報の再生、編集、または削除を行ったり、ＨＤＤにＡＶ情報を記録したりすることができる。また、パスワードが表示されないので、他人によって盗み見られるのを防止することができる。また、予約されたＨＤＤへのＡＶ情報の記録を、他人に気づかれず中断されることもなく、実行することができる。また、ＨＤＤに対するアクセスとＨＤＤの存在を示す情報の表示との禁止解除後に、手動または自動で再びＨＤＤに対するアクセスとＨＤＤの存在を示す情報の表示とが禁止されるので、ＨＤＤの存在を隠匿して、ＨＤＤの保全性を高く維持することができる。さらに、ＨＤＤ隠しモードが設定されていて、対応するＨＤＤに対するアクセスの禁止が解除されたときに、停電が生じても、その後各部への電力供給が開始されたときに、該ＨＤＤに対するアクセスが禁止されるので、ＨＤＤの存在を隠匿して、ＨＤＤの保全性を高く維持することができる。
【発明の効果】
【００２２】
本発明によれば、ＨＤＤ隠しモードを設定することで、ＨＤＤに対するアクセスとＨＤＤの存在を示す情報の表示とが禁止されるので、ＨＤＤの存在が隠匿されて、他人がユーザ認証情報を盗聴する気にならず、勝手にＨＤＤの記録内容や使用状態を見たり、ＨＤＤに記録されたＡＶ情報の再生、編集、または削除を行ったり、ＨＤＤにＡＶ情報を記録したりする等の被害を防止することができ、ＨＤＤの保全性を高めることが可能となる。
【発明を実施するための最良の形態】
【００２３】
図１は、本発明の実施形態に係るＨＤＤ（Hard  Disk Drive）搭載ＡＶ（Audio-Visual）機器１０のブロック図である。ＨＤＤ搭載ＡＶ機器１０は、ＨＤＤ一体型ＤＶＤ（Digital  Versatile Disc）レコーダから構成されている。ＨＤＤ搭載ＡＶ機器１０の制御部１は、ＣＰＵ、ＲＯＭ、ＲＡＭ、不揮発性メモリ、タイマ、およびＯＳＤ（On Screen Display）回路等から構成されている。制御部１は、ＲＯＭ、ＲＡＭ、および不揮発性メモリに記憶されたプログラムとデータに基づいて、ＨＤＤ搭載ＡＶ機器１０の各部を制御する。また、制御部１は、タイマにより日付と時間とをカウントする。メモリ２は、ＲＯＭ、ＲＡＭ、および不揮発性メモリ等から構成されている。
【００２４】
信号処理部３は、ＭＰＥＧ（Moving Picture  Experts Group）符号化・復号回路およびデジタル・アナログ変換回路等から構成されている。チューナ５は、アンテナ４によって受信したテレビジョン放送電波からアナログのテレビジョン信号を抽出して、信号処理部３へ出力する。信号処理部３は、チューナ５から入力されたテレビジョン信号を処理し、アナログの映像信号と音声信号を生成して、テレビ（テレビジョン受像機）３０へ出力する。光ディスクドライブ６は、ＤＶＤ２０に記録された映像や音声のＡＶ情報を読み出したり、ＡＶ情報をＤＶＤ２０に書き込んだりする。ＨＤＤ７は、内蔵する磁気ディスクに記録されたＡＶ情報を読み出したり、ＡＶ情報を該磁気ディスクに書き込んだりする。ＤＶＤ２０やＨＤＤ７に記録されたＡＶ情報は、ＭＰＥＧ形式で圧縮されたデジタルデータである。
【００２５】
制御部１は、ＤＶＤ２０からまたはＨＤＤ７から読み出したＭＰＥＧ形式のデジタルのＡＶ情報を、信号処理部３により復号して、アナログの映像信号や音声信号を再生し、テレビ３０へ出力する。また、制御部１は、メモリ２またはＨＤＤ７に記録された画像データを、ＯＳＤ回路と信号処理部３によりテレビ３０のディスプレイにＯＳＤにて表示できるように処理して、テレビ３０へ出力する。その画像データとしては、例えばＨＤＤ搭載ＡＶ機器１０の各種設定を行うための画像データ、テレビジョン放送電波に基づくＡＶ情報のＤＶＤ２０やＨＤＤ７への記録をタイマにより自動実行させること（所謂、タイマ録画機能）を予約するための画像データ、ＨＤＤ７の使用権限を有するユーザを認証するためのユーザ認証情報としてパスワードを登録するための画像データ、ＨＤＤ７の存在を隠すＨＤＤ隠しモード（HDD hidden mode）の設定や解除を行うための画像データ、およびＤＶＤ２０やＨＤＤ７の各種設定を行うための画像データ等が含まれている。
【００２６】
テレビ３０は、ＨＤＤ搭載ＡＶ機器１０とケーブル等で接続されている。テレビ３０は、信号処理部３から入力された映像信号に基づく映像を内蔵するディスプレイに表示し、信号処理部３から入力された音声信号に基づく音声を内蔵するスピーカから出力する。制御部１は、チューナ５により抽出したテレビジョン信号を、信号処理部３によりデジタルのＡＶデータに変換してＭＰＥＧ形式で符号化し、光ディスクドライブ６によりＤＶＤ２０に記録したり、ＨＤＤ７に記録したりする。また、制御部１は、光ディスクドライブ６によりＤＶＤ２０から読み出したＡＶ情報をＨＤＤ７に記録したり、ＨＤＤ７から読み出したＡＶ情報を光ディスクドライブ６によりＤＶＤ２０に記録したりする（所謂、ダビング機能）。
【００２７】
表示部８は、ＶＦＤ（Vacuum  Fluorescent Display；蛍光表示管）等から構成されている。表示部８には、ＨＤＤ搭載ＡＶ機器１０の動作状態や時間等が表示される。操作部９は、ＨＤＤ搭載ＡＶ機器１０の前面に設けられた各種のキーやＬＥＤ（Light Emitting Diode）等から構成されている。リモコン受信部１１は、リモコン１２から送信された信号を受信する。リモコン１２には、各種のキーが設けられている。リモコン１２または操作部９のキーを操作することで、ＨＤＤ搭載ＡＶ機器１０に再生、記録、録画予約等の動作指示やパスワード等の情報を入力したり、ＨＤＤ隠しモードの設定や解除等の各種設定を行ったりすることができる。制御部１は、本発明における制御手段の一実施形態を構成する。リモコン１２と操作部９は、本発明における入力手段の一実施形態を構成する。制御部１とリモコン１２および操作部９は、本発明における登録手段、設定手段、予約手段の一実施形態を構成する。テレビ３０と表示部８は、本発明における表示手段の一実施形態を構成する。
【００２８】
図２は、ＨＤＤ搭載ＡＶ機器１０のメイン動作の手順を示すフローチャートである。操作部９またはリモコン１２に設けられた電源スイッチがＯＮ操作されると（ステップＳ１：ＹＥＳ）、制御部１は各部への電力供給を開始して、ＨＤＤ搭載ＡＶ機器１０を起動し、ＨＤＤ隠しモードが設定されているか否かを判定する（ステップＳ２）。制御部１が内蔵する不揮発性メモリ等には、ＨＤＤ隠しモードの設定または解除状態に応じて切り替えるＨＤＤ隠しフラグが設けられている。ＨＤＤ隠しフラグの切り替えについては後述する。制御部１は、ＨＤＤ隠しフラグがＯＦＦになっていると、ＨＤＤ隠しモードが設定されていないと判断する（ステップＳ２：ＮＯ）。そして、リモコン１２等のキー操作により、動作指示が入力されると（ステップＳ３：ＹＥＳ）、制御部１は通常の該指示に対応する処理を行う（ステップＳ４）。このとき、ＨＤＤ隠しモードが設定されていないので、搭載する全ての記録手段（ＤＶＤ２０およびＨＤＤ７）に対するアクセスと全ての記録手段の存在を示す情報の表示が可能である。このため、例えばＤＶＤ２０またはＨＤＤ７に記録されたＡＶ情報の再生、ＤＶＤ２０またはＨＤＤ７へのＡＶ情報の記録等の動作が指示されると、該指示に対応する処理を行う。また、リモコン１２等のキー操作により、例えばメインメニューの表示が指示されると、制御部１は、図６Ａに示すメインメニュー画面Ｇ１をテレビ３０のディスプレイにＯＳＤにて表示する。
【００２９】
メインメニュー画面Ｇ１には、ＨＤＤ搭載ＡＶ機器１０の各種設定を行うための全ての項目が表示されている。メインメニュー画面Ｇ１において、リモコン１２等のキー操作により、例えばカーソルＫを「録画予約」に合わせてこれを選択すると、制御部１は、図９Ａに示す録画予約リスト画面Ｇ４をテレビ３０にＯＳＤにて表示する。録画予約リスト画面Ｇ４は、録画予約の受け付けや変更を行うための画面である。録画予約リスト画面Ｇ４では、録画予約された内容を示すプラグラムが全て表示され、ＨＤＤ７が存在していることが明らかに分かる。録画予約リスト画面Ｇ４において、リモコン１２等のキー操作により、カーソルＫをいずれかのプログラムに合わせてそれを選択すると、制御部１は、図１０Ａに示すような録画予約プログラム画面Ｇ５をテレビ３０にＯＳＤにて表示する。録画予約プログラム画面Ｇ５は、録画予約リスト画面Ｇ４で選択したプログラムの内容を確認したい変更したりするための画面である。録画予約プログラム画面Ｇ５において、リモコン１２等のキー操作により、カーソルＫをＡＶ情報の記録先として指定された「ＤＶＤ」に合わせてこれを選択すると、図１０Ｂに示すように記録先の候補として「ＤＶＤ」以外に「ＨＤＤ」が表示されて、いずれかを選択できるようになり、ＨＤＤ７が存在していることが明らかに分かる。また、録画予約リスト画面Ｇ４において、リモコン１２等のキー操作により、カーソルＫを下から１行目または２行目の空きプログラムに合わせてそれを選択すると、制御部１は、タイマ録画の各種設定項目だけを示す録画予約プログラム画面Ｇ５（図１０Ａで具体的な日時やチャンネルや記録先が示されていないもの）をテレビ３０にＯＳＤにて表示する。該予約プログラム画面Ｇ５において、リモコン１２等のキー操作により、カーソルＫを動かして、タイマ録画を実行させる日付、開始時間、終了時間、チャンネル、および記録先等の情報を入力すると、録画予約を行うことができる。この他、リモコン１２等のキー操作により、録画するＡＶ情報に割り当てられたＧコード等を入力しても、録画予約を行うことができる。
【００３０】
また、図６Ａのメインメニュー画面Ｇ１において、「ディスク／デバイス設定」を選択した場合、制御部１は、図１１Ａに示すディスク／デバイス設定画面Ｇ６をテレビ３０にＯＳＤにて表示する。ディスク／デバイス設定画面Ｇ６では、ＤＶＤ２０の各種設定を行うためのメニューと、ＨＤＤ７の各種設定を行うためのメニューが表示され、ＨＤＤ７が存在していることが明らかに分かる。
【００３１】
また、図６Ａのメインメニュー画面Ｇ１において、「ＨＤＤ隠し設定」を選択した場合、制御部１は、ＨＤＤ隠し設定モード処理を実行する。図３は、ＨＤＤ隠し設定モード処理の手順を示すフローチャートである。メインメニュー画面Ｇ１で「ＨＤＤ隠し設定」が選択されて指示されると（図３のステップＳ２１：ＹＥＳ）、制御部１は、図７に示すＨＤＤ隠し設定メニュー画面Ｇ２をテレビ３０にＯＳＤにて表示する（ステップＳ２２）。ＨＤＤ隠し設定メニュー画面Ｇ２は、ＨＤＤ隠しモードの各種設定を行うための画面である。ＨＤＤ隠し設定メニュー画面Ｇ２には、存在を隠す記録デバイスとして、ＨＤＤ７が表示されている。ＨＤＤ隠し設定メニュー画面Ｇ２において、リモコン１２等のキー操作により、カーソルＫを「設定」に合わせてこれを選択すると、制御部１はＨＤＤ７の存在を隠すＨＤＤ隠しモードの設定が指示されたと判断し（図３のステップＳ２３：ＹＥＳ）、認証デバイスコマンド（IDENTIFY DEVICE command）をＨＤＤ７に対して発行して、ＨＤＤ７のデバイス情報を取得する（ステップＳ２４）。詳しくは、制御部１が認証デバイスコマンドをＨＤＤ７に送信すると、該コマンドを受信したＨＤＤ７が予め記録された自信のデバイス情報を制御部１に送信するため、制御部１が該デバイス情報を取得する。そして、制御部１は、取得したＨＤＤ７のデバイス情報がメモリ２に予め記憶されたデバイス情報と一致すると、ＨＤＤ７が改造等のされていない取り扱い可能な正当なＨＤＤであることが認証できたと判断する（ステップＳ２５：ＹＥＳ）。
【００３２】
この後、所定時間が経過するまでに（ステップＳ２６：ＮＯ）、リモコン１２等のキー操作によりキャンセルを指示することなく（ステップＳ２７：ＮＯ）、図７のＨＤＤ隠し設定メニュー画面Ｇ２において、リモコン１２等のキー操作により、カーソルＫを「パスワード」に合わせてこれを選択して、ＨＤＤ７の使用権限を有するユーザを認証するためのパスワードを入力すると、制御部１はパスワードの設定が行われたと判断する（ステップＳ２８）。このとき、パスワードの入力ミスと忘却を防止するために、入力されたパスワードをテレビ３０等に表示して、ユーザに視覚的に確認させるようにしもよいし、パスワードが他人に盗み見られるのを防止するために、入力されたパスワードをテレビ３０等に表示しないようにしてもよい。
【００３３】
そして、リモコン１２等のキー操作により、入力したパスワードを確定すると（ステップＳ２９：ＹＥＳ）、制御部１は、ＨＤＤ７に対して確定されたパスワードを含むセキュリティ設定パスワードコマンド（SECURITY SET PASSWORD command）を発行して、確定されたパスワードをＨＤＤ７とメモリ２に記録して登録し、ＨＤＤ７にアクセスできないようにロックさせ、ＨＤＤ隠しフラグをＯＮにする（ステップＳ３０）。詳しくは、このとき初めてパスワードを登録した場合は、確定されたパスワードがＨＤＤ７に対応づけられて登録され、既にパスワードが登録されている場合は、該登録されているパスワードが確定されたパスワードに変更される。また、制御部１がセキュリティ設定パスワードコマンドをＨＤＤ７に送信すると、該コマンドを受信したＨＤＤ７が該パスワードを記録（更新）し、以降送信される読み出しコマンド（READ command）や書き込みコマンド（WRITE command）に対して、実行中止を通知するアボート（ABORT）を返信して、アクセスできなくする。さらに、制御部１は、ＨＤＤ７の存在を示す情報のテレビ３０や表示部８への表示を禁止し、内蔵する不揮発性メモリ等に設けられたＨＤＤ表示禁止フラグをＯＮにする（ステップＳ３１）。このとき、ＨＤＤ７を取り扱い可能なＨＤＤモードが設定されている場合、制御部１は光ディスクドライブ６を起動して、ＤＶＤ２０を取り扱い可能なＤＶＤモードに設定を切り換える。また、ＨＤＤ７の存在を示す情報をテレビ３０や表示部８に表示している場合は、該表示を即座に消去する。上記ステップＳ３０、Ｓ３１により、ＨＤＤ７の存在を隠すＨＤＤ隠しモードが設定された状態となる。そして、制御部１はテレビ３０にメッセージをＯＳＤにて一定時間表示する等して、ＨＤＤ隠しモードの設定が完了したことを通知し（ステップＳ２２）、所定時間が経過すると（ステップＳ２３：ＹＥＳ）、ＨＤＤ隠し設定メニュー画面Ｇ２の表示を消去して（ステップＳ２４）、ＨＤＤ隠し設定モード処理を終了する。
【００３４】
また、図７のＨＤＤ隠し設定メニュー画面Ｇ２において、リモコン１２等のキー操作により、キャンセルが指示されたり（図３のステップＳ４０：ＹＥＳ）、ＨＤＤ７が認証できなかったり（ステップＳ２５：ＮＯ）、ＨＤＤ７の認証後にパスワードが入力されて確定されることなく、所定時間が経過したり（ステップＳ２６：ＹＥＳ）、リモコン１２等のキー操作によりキャンセルが指示されたり（ステップＳ２７：ＹＥＳ）すると、制御部１は、ＨＤＤ隠し設定メニュー画面Ｇ２の表示を消去して（ステップＳ３４）、ＨＤＤ隠し設定モード処理を終了する。
【００３５】
また、図７のＨＤＤ隠し設定メニュー画面Ｇ２において、リモコン１２等のキー操作により、カーソルＫを「自動設定」に合わせてこれを選択すると、制御部１はＨＤＤ隠しモードの自動設定が指示されたと判断し（図３のステップＳ３５：ＹＥＳ）、図８に示すＨＤＤ隠しモード自動設定画面Ｇ３をテレビ３０にＯＳＤにて表示する。ＨＤＤ隠しモード自動設定画面Ｇ３は、ＨＤＤ７の存在を隠すＨＤＤ隠しモードを自動で設定するタイミングを設定するための画面である。図８に示す例では、ＨＤＤ隠しモードを自動的に設定するタイミングとして、毎日午後１２時と電源スイッチがＯＦＦ操作されたときとが設定されている。この自動設定タイミングは、リモコン１２等のキー操作により、カーソルＫを動かして、情報を入力することで、追加したり消去したい変更したりして設定することができる。リモコン１２等のキー操作により、設定した自動設定タイミングを確定すると（図３のステップＳ３７）、制御部１は自動設定タイミングをメモリ２に記録する（ステップＳ３８）。そして、制御部１は、ＨＤＤ隠しモード自動設定画面Ｇ３の表示を消去し（ステップＳ３９）、さらにＨＤＤ隠し設定メニュー画面Ｇ２の表示を消去して（ステップＳ３４）、ＨＤＤ隠し設定モード処理を終了する。
【００３６】
上述したようにＨＤＤ隠しモードが設定されて、該当するＨＤＤ７（隠し対象のＨＤＤ７）がアンロックされた後、動作指示が入力されると（図２のステップＳ１０：ＮＯ、ステップＳ２：ＹＥＳ、ステップＳ５：ＮＯ、ステップＳ８：ＹＥＳ）、制御部１はＨＤＤ隠しモードの該指示に対応する処理を行う（ステップＳ９）。このとき、ＨＤＤ７に対するアクセスとＨＤＤ７の存在を示す情報の表示は不可能である。このため、例えばメインメニューの表示指示が入力された場合は、制御部１は、図６Ａに示したメインメニュー画面Ｇ１に代えて、図６Ｂに示すメインメニュー画面Ｇ１’をテレビ３０に表示する。メインメニュー画面Ｇ１’では、図６Ａに示した「ＨＤＤ隠し設定」以外の各種設定を行うための項目が表示され、ＨＤＤ７とＨＤＤ隠しモードの存在とが隠匿されている。
【００３７】
また、メインメニュー画面Ｇ１’において、「録画予約」が選択された場合は、制御部１は、図９Ａに示した録画予約リスト画面Ｇ４に代えて、図９Ｂに示す録画予約リスト画面Ｇ４’をテレビ３０に表示する。録画予約リスト画面Ｇ４’では、図９Ａに示したプラグラムのうち、録画先としてＨＤＤ７が指定されていないもののみ表示され、ＨＤＤ７の存在が隠匿されている。録画予約リスト画面Ｇ４’において、いずれかのプログラムが選択されると、制御部１は、図１０Ａに示したような録画予約プログラム画面Ｇ５をテレビ３０に表示する。そして、録画予約プログラム画面Ｇ５において、カーソルＫを記録先として指定された「ＤＶＤ」に合わせてこれを選択すると、図１０Ｃに示すように画面Ｇ５’に記録先の候補として「ＤＶＤ」だけが表示され、ＨＤＤ７の存在が隠匿される。また、例えば図６Ｂのメインメニュー画面Ｇ１’において、「ディスク／デバイス設定」が選択された場合、制御部１は、図１１Ａに示したディスク／デバイス設定画面Ｇ６に代えて、図１１Ｂに示すディスク／デバイス設定画面Ｇ６’をテレビ３０に表示する。ディスク／デバイス設定画面Ｇ６’では、ＤＶＤ２０の各種設定を行うためのメニューのみが表示され、ＨＤＤ７の存在が隠匿されている。
【００３８】
動作指示等の入力待機状態において、リモコン１２等のキー操作により、パスワードが入力されると（図２のステップＳ１０：ＹＥＳ）、制御部１は、該入力されたパスワードがメモリ２に登録したパスワードと一致しているか否かを判定する（ステップＳ１１）。このとき、パスワードが他人に盗み見られるのを防止するため、制御部１は入力されたパスワードをテレビ３０や表示部８には一切表示しない。入力されたパスワードが登録されたパスワードと一致すると（ステップＳ１１：ＹＥＳ）、制御部１はＨＤＤ隠しモードが設定されているか否かを判定する（ステップＳ１２）。ここで、制御部１は、ＨＤＤ隠しフラグがＯＮになっていて、ＨＤＤ隠しモードが設定されていると判断すると（ステップＳ１２：ＹＥＳ）、入力されたパスワードを含むセキュリティ解除パスワードコマンド（SECURITY RELEASE PASSWORD command）をＨＤＤ７に対して発行して、ＨＤＤ７にアクセスできるようにアンロックさせ、ＨＤＤ隠しフラグをＯＦＦにする（ステップＳ１５）。詳しくは、制御部１がセキュリティ解除パスワードコマンドをＨＤＤ７に送信すると、該コマンドを受信したＨＤＤ７が送信されたパスワードと登録されたパスワードとの一致を確認し、一致していれば、以降送信される読み出しコマンドや書き込みコマンドに従って処理を実行し、アクセスできるようにする。さらに、制御部１は、ＨＤＤ７の存在を示す情報の表示の禁止を解除して、ＨＤＤ表示禁止フラグをＯＦＦにする（ステップＳ１６）。これにより、ＨＤＤ７の存在を隠すＨＤＤ隠しモードが解除された状態となる。
【００３９】
また、ステップＳ１２で制御部１は、ＨＤＤ隠しフラグがＯＦＦになっていて、ＨＤＤ隠しモードが設定されていないと判断すると（ステップＳ１２：ＮＯ）、入力されたパスワードを含むセキュリティ設定パスワードコマンドをＨＤＤ７に対して発行して、ＨＤＤ７にアクセスできないようにロックさせ、ＨＤＤ隠しフラグをＯＮにする（ステップＳ１３）。詳しくは、制御部１がセキュリティ設定パスワードコマンドをＨＤＤ７に送信すると、該コマンドを受信したＨＤＤ７が送信されたパスワードと登録されたパスワードとの一致を確認し、一致していれば、以降送信される読み出しコマンドや書き込みコマンドに対して、アボートを返信して、アクセスできなくする。さらに、制御部１は、ＨＤＤ７の存在を示す情報の表示を禁止して、ＨＤＤ表示禁止フラグをＯＮにする（ステップＳ１４）。これにより、ＨＤＤ隠しモードが設定された状態となる。
【００４０】
上述したように、ＨＤＤ隠しモードを設定した後、登録したパスワードと一致するパスワードを入力することで、ＨＤＤ隠しモードが解除され、再び登録したパスワードと一致するパスワードを入力することで、ＨＤＤ隠しモードが設定される。この他、図８のＨＤＤ隠しモード自動設定画面Ｇ３で設定した自動設定タイミングでも、ＨＤＤ隠しモードが自動的に設定される。図４は、ＨＤＤ隠しモード自動設定処理の手順を示すフローチャートである。例えば図８に示したように自動設定タイミングとして毎日午後１２時と電源スイッチのＯＦＦ操作時とが設定されている場合は、ＨＤＤ搭載ＡＶ機器１０が起動している否かにかかわらず、毎日午後１２時に、またはＨＤＤ搭載ＡＶ機器１０の起動中に、リモコン１２等の電源スイッチがＯＦＦ操作されたときに、制御部１は、ＨＤＤ隠しモード自動設定処理を開始して、自動設定タイミングになったと判断し（ステップＳ４１）、メモリ２に登録されたパスワードを含むセキュリティ設定パスワードコマンドをＨＤＤ７に対して発行して、ＨＤＤ７にアクセスできないようにロックさせ、ＨＤＤ隠しフラグをＯＮにする（ステップＳ４２）。さらに、制御部１は、ＨＤＤ７の存在を示す情報の表示を禁止して、ＨＤＤ表示禁止フラグをＯＮにする（ステップＳ４３）。これにより、ＨＤＤ隠しモードが設定された状態となり、ＨＤＤ隠しモード自動設定処理が終了する。電源スイッチがＯＦＦ操作された場合は、ステップＳ４３の実行後に、各部への電力供給を停止して、ＨＤＤ搭載ＡＶ機器１０の起動を停止する。
【００４１】
図５は、ＨＤＤ搭載ＡＶ機器１０で実行するタイマ録画処理の手順を示すフローチャートである。制御部１は内蔵するタイマの示す時間が、図９Ａ等に示した録画予約されたいずれかのプラグラムで指定された録画開始時間の所定時間前の録画準備時間になると（ステップＳ５１：ＹＥＳ）、ＨＤＤ隠しモードが設定されているか否かを判定する（ステップＳ５２）。ここで、制御部１は、ＨＤＤ隠しフラグがＯＦＦになっていて、ＨＤＤ隠しモードが設定されていないと判断すると（ステップＳ５２：ＮＯ）、ステップＳ５３〜Ｓ５８の通常のタイマ録画動作を行う。即ち、プログラムで指定されたテレビジョン放送電波に基づくＡＶ情報のＤＶＤ２０またはＨＤＤ７への録画を行うのに必要な各部を起動し（ステップＳ５３）、指定された録画開始時間になると（ステップＳ５４：ＹＥＳ）、指定された記録先（ＤＶＤ２０またはＨＤＤ７）へのＡＶ情報の録画を開始し（ステップＳ５５）、指定された録画停止時間になると（ステップＳ５６：ＹＥＳ）、記録先へのＡＶ情報の録画を停止して（ステップＳ５７）、必要各部の起動を停止し（ステップＳ５８）、タイマ録画処理を終了する。
【００４２】
また、ステップＳ５２で制御部１は、ＨＤＤ隠しフラグがＯＮになっていて、ＨＤＤ隠しモードが設定されていると判断すると（ステップＳ５２：ＹＥＳ）、プログラムで指定された記録先がＨＤＤ隠しモードに該当するＨＤＤ７であるか否かを判定する（ステップＳ６０）。記録先がＨＤＤ７でなければ（ステップＳ６０：ＮＯ）、上述したようにステップＳ５３〜Ｓ５８の通常のタイマ録画動作を行う。一方、記録先がＨＤＤ７であれば（ステップＳ６０：ＹＥＳ）、制御部１はステップＳ６１〜Ｓ６８のＨＤＤ隠しモードのタイマ録画動作を行う。即ち、プログラムで指定されたテレビジョン放送電波に基づくＡＶ情報のＨＤＤ７への録画を行うのに必要な各部を起動し（ステップＳ６１）、指定された録画開始時間になると（ステップＳ６２：ＹＥＳ）、メモリ２に登録されたパスワードを含むアンロックコマンドをＨＤＤ７に対して発行して、ＨＤＤ７にアクセスできるようにアンロックさせ（ステップＳ６３）、指定されたＨＤＤ７へのＡＶ情報の録画を開始する（ステップＳ６４）。この録画中、制御部１は、録画動作が実行中であることを示す情報のテレビ３０や表示部８への表示と、リモコン１２等のキー操作による該録画動作の中断とを一切禁止する。そして、指定された録画停止時間になると（ステップＳ６５：ＹＥＳ）、制御部１は、ＨＤＤ７へのＡＶ情報の録画を停止して（ステップＳ６６）、メモリ２に登録されたパスワードを含むロックコマンドをＨＤＤ７に対して発行して、ＨＤＤ７にアクセスできないようにロックさせる（ステップＳ６７）。この後、必要各部の起動を停止し（ステップＳ６８）、タイマ録画処理を終了する。
【００４３】
ステップ６３でＨＤＤ７をアンロックしてから、ステップ６７でＨＤＤ７のロックを完了するまでの間に、ＨＤＤ搭載ＡＶ機器１０で停電が生じた場合、ＨＤＤ７がアクセス可能な状態で放置されてしまう。このような場合を想定して、ＨＤＤ搭載ＡＶ機器１０では、停電から復旧した後に、ＨＤＤ７を自動的にアクセスできないようにロックさせる。即ち、停電から復旧した後、リモコン１２等の電源スイッチがＯＮ操作されると（図２のステップＳ１：ＹＥＳ）、制御部１は各部への電力供給を開始して、ＨＤＤ搭載ＡＶ機器１０を起動し、ＨＤＤ隠しモードが設定されているか否かを判定する（ステップＳ２）。そして、ＨＤＤ隠しフラグがＯＦＦになっていて、ＨＤＤ隠しモードが設定されていると（ステップＳ２：ＮＯ）、制御部１はＨＤＤ７がアンロック状態であるか否かを判定する（ステップＳ５）。例えば、制御部１はＨＤＤ７に対して読み出しコマンド等を送信し、ＨＤＤ７からアボートが返信されなければ、ＨＤＤ７がアンロック状態であると判断する（ステップＳ５：ＹＥＳ）。このように判断した後、ＨＤＤ７が起動すると（ステップＳ６：ＹＥＳ）、制御部１は、メモリ２に登録されたパスワードを含むロックコマンドをＨＤＤ７に対して発行して、ＨＤＤ７にアクセスできないようにロックさせる（ステップＳ７）。これにより、ＨＤＤ隠しモードが完全に設定された状態となる。
【００４４】
以上によると、ＨＤＤ７の使用権限を有するユーザが、ＨＤＤ隠しモードを設定することで、ＨＤＤ７に対するアクセスとＨＤＤ７の存在を示す情報のテレビ３０や表示部８への表示とが禁止されるので、ＨＤＤ７の存在が隠匿されて、他人がＨＤＤ７の使用権限を有するユーザを認識するためのパスワードを盗聴する気にならず、勝手にＨＤＤ７の記録内容や使用状態を見たり、ＨＤＤ７に記録されたＡＶ情報の再生、編集、または削除を行ったり、ＨＤＤ７にＡＶ情報を記録したりする等の被害を防止することができ、ＨＤＤ７の保全性を高めることが可能となる。特に、入力されたパスワードのテレビ３０や表示部８への表示を禁止するので、パスワードが他人によって盗み見られるのを防止することができ、ＨＤＤ７の存在を確実に隠匿して、ＨＤＤ７の保全性を一層高めることが可能となる。また、ＨＤＤ７の使用権限を有するユーザが、登録したパスワードと一致するパスワードを入力するだけで、容易かつ手軽に、ＨＤＤ７に対するアクセスとＨＤＤ７の存在を示す情報の表示との禁止が解除されて、ＨＤＤ７の存在が明らかになり、ＨＤＤ７の記録内容や使用状態を確認したり、ＨＤＤ７に記録されたＡＶ情報の再生、編集、または削除を行ったり、ＨＤＤ７にＡＶ情報を記録したりすることができる。
【００４５】
また、ＨＤＤ隠しモードが設定されているときに、録画予約されたプログラムの録画開始時間になると、ＨＤＤ７をアンロックしてアクセス禁止を解除し、ＡＶ情報をＨＤＤ７へ録画しつつ、該録画動作が実行中であることを示す情報の表示および該録画動作の中断を禁止し、録画終了時間になると、録画を停止して、再びＨＤＤ７をロックしてアクセスを禁止するので、ＨＤＤ７による録画予約を、他人に気づかれず、中断されることもなく、実行することができる。
【００４６】
また、ＨＤＤ隠しモードの解除後に、ＨＤＤ７の使用権限を有するユーザが、登録したパスワードと一致するパスワードを入力することで、再びＨＤＤ隠しモードが設定されて、ＨＤＤ７に対するアクセスとＨＤＤ７の存在を示す情報の表示とが禁止されるので、ＨＤＤ７の存在を隠匿して保全性を高く維持することができる。また、ＨＤＤ隠しモードの解除後に、ＨＤＤ７の使用権限を有するユーザが、再びパスワードを入力してＨＤＤ隠しモードを設定するのを忘れても、自動設定画面Ｇ３で設定した所定の時間または電源スイッチのＯＦＦ操作時等の自動設定タイミングに、ＨＤＤ隠しモードが自動的に設定されて、ＨＤＤ７に対するアクセスとＨＤＤ７の存在を示す情報の表示とが禁止されるので、ＨＤＤ７の存在を隠匿して、ＨＤＤ７の保全性を高く維持することができる。
【００４７】
さらに、ＨＤＤ隠しモードが設定されていて、ＨＤＤ７がアンロック状態にあるときに、停電が生じても、その後復旧して電源スイッチがＯＮ操作されたときに、ＨＤＤ７が自動的にロックされてアクセスが禁止されるので、ＨＤＤ７の存在を隠匿して、ＨＤＤ７の保全性を高く維持することができる。
【００４８】
以上述べた実施形態では、ＨＤＤを１つだけ備えたＨＤＤ搭載ＡＶ機器に本発明を適用した例を挙げているが、本発明は、図１２や図１３に示すようにＨＤＤを複数備えたＨＤＤ搭載ＡＶ機器にも適用することができる。図１２および図１３中、図１と同一部分または対応する部分には、便宜上同一符号を付している。図１２に示すＨＤＤ搭載ＡＶ機器１０’は、３台のＨＤＤ７ａ〜７ｃを搭載している。そのうち、ＨＤＤ（１）７ａは、元々ＨＤＤ搭載ＡＶ機器１０’に搭載されていたものであり、ＨＤＤ（２）７ｂとＨＤＤ（３）７ｃは、ＨＤＤ搭載ＡＶ機器１０’にケーブル等で接続して増設したものである。図１３に示すＨＤＤ搭載ＡＶ機器１０”は、２台のＨＤＤ７、７ｃを搭載している。そのうち、ＨＤＤ７は、記録領域をパーティション分けして２つのＨＤＤ（１）７ａ、ＨＤＤ（２）７ｂとみなされていて、ＨＤＤ（３）７ｃは、ＨＤＤ搭載ＡＶ機器１０”にケーブル等で接続して増設したものである。
【００４９】
図１２または図１３のように複数のＨＤＤ（１）７ａ〜（３）７ｃを備えた場合、図７に示したＨＤＤ隠し設定メニュー画面Ｇ２に代えて、図１４に示すＨＤＤ隠し設定メニュー画面Ｇ７によりＨＤＤ隠しモードの各種設定を行う。ＨＤＤ隠しモードを設定する前は、図６Ａに示したメインメニュー画面Ｇ１で「ＨＤＤ隠し設定」を決定することで、制御部１がＨＤＤ隠し設定メニュー画面Ｇ７をテテレビ３０に表示する。ＨＤＤ隠し設定メニュー画面Ｇ７には、存在を隠す記録デバイスの候補として、ＨＤＤ（１）７ａ〜ＨＤＤ（３）７ｃが表示されている。また、設定項目として、「設定」、「メニューパスワード」、「デバイスパスワード」、および「自動設定」が表示されている。「メニューパスワード」は、ＨＤＤ隠し設定メニュー画面Ｇ７の使用権限を有するユーザを認識するためのパスワードを登録する項目である。リモコン１２等のキー操作により、カーソルＫを「メニューパスワード」に合わせてこれを選択した後、パスワードを入力して確定すると、制御部１が該パスワードをメニューパスワードとしてメモリ２に登録する。
【００５０】
「デバイスパスワード」は、ＨＤＤ（１）７ａ〜ＨＤＤ（３）７ｃ毎に使用権限を有するユーザを認識するためのパスワードを登録する項目である。リモコン１２等のキー操作により、カーソルＫ１をいずれかのＨＤＤ（１）７ａ〜ＨＤＤ（３）７ｃに合わせてそれを選択し、カーソルＫ２を「設定」に合わせてこれを選択すると、図３で説明したように、制御部１が選択されたＨＤＤ（１）７ａ〜ＨＤＤ（３）７ｃの認証を行う。認証後、カーソルＫ２を「デバイスパスワード」に合わせてこれを選択した後、パスワードを入力して確定すると、制御部１が、該パスワードを選択されたＨＤＤ（１）７ａ〜ＨＤＤ（３）７ｃに対応するデバイスパスワードとしてメモリ２と該ＨＤＤ（１）７ａ〜ＨＤＤ（３）７ｃに登録し、該ＨＤＤ（１）７ａ〜ＨＤＤ（３）７ｃに対するアクセスと、該ＨＤＤ（１）７ａ〜ＨＤＤ（３）７ｃの存在を示す情報の表示とを禁止するＨＤＤ隠しモードを設定する。つまり、ＨＤＤ（１）７ａ〜ＨＤＤ（３）７ｃ毎にＨＤＤ隠しモードを設定することができる。
【００５１】
上記のようにいずれかのＨＤＤ（１）７ａ〜ＨＤＤ（３）７ｃの存在を隠すＨＤＤ隠しモードが設定されているときに、メニューパスワードを入力すると、制御部１が登録されたメニューパスワードと一致していることを確認した後、ＨＤＤ隠し設定メニュー画面Ｇ７をテレビ３０に表示する。また、デバイスパスワードを入力すると、制御部１が登録されたデバイスパスワードと一致していることを確認した後、該デバイスパスワードに対応するＨＤＤ（１）７ａ〜ＨＤＤ（３）７ｃの存在を隠すＨＤＤ隠しモードを解除して、該ＨＤＤ（１）７ａ〜ＨＤＤ（３）７ｃに対するアクセスと該ＨＤＤ（１）７ａ〜ＨＤＤ（３）７ｃの存在を示す情報の表示との禁止を解除する。この解除後、再びデバイスパスワードを入力すると、制御部１が登録されたデバイスパスワードと一致していることを確認した後、該デバイスパスワードに対応するＨＤＤ（１）７ａ〜ＨＤＤ（３）７ｃの存在を隠すＨＤＤ隠しモードを設定して、該ＨＤＤ（１）７ａ〜ＨＤＤ（３）７ｃに対するアクセスと該ＨＤＤ（１）７ａ〜ＨＤＤ（３）７ｃの存在を示す情報の表示とを禁止する。
【００５２】
ＨＤＤ隠しモードが設定されていないときに、テレビ３０に表示された図６Ａのメインメニュー画面Ｇ１において、「録画予約」が選択された場合、制御部１は、図１５Ａに示す録画予約リスト画面Ｇ８をテレビ３０に表示する。録画予約リスト画面Ｇ８では、録画予約した全プラグラムが表示され、ＨＤＤ（３）７ｃが存在していることが明らかに分かる。録画予約リスト画面Ｇ８において、いずれかのプログラムが選択されると、制御部１は、図１６Ａに示すような録画予約プログラム画面Ｇ９をテレビ３０に表示する。録画予約プログラム画面Ｇ９において、カーソルＫを記録先として指定された「ＨＤＤ（１）」に合わせて選択すると、図１６Ｂに示すように記録先の候補として「ＨＤＤ（１）」以外に「ＤＶＤ」、「ＨＤＤ（２）」、「ＨＤＤ（３）」が表示されて、ＨＤＤ（３）７ｃが存在していることが明らかに分かる。また、図６Ａのメインメニュー画面Ｇ１において、「ディスク／デバイス設定」を決定した場合、制御部１は、図１７Ａに示すディスク／デバイス設定画面Ｇ１０をテレビ３０に表示する。ディスク／デバイス設定画面Ｇ１０では、ＤＶＤ２０およびＨＤＤ（１）７ａ〜ＨＤＤ（３）７ｃの各種設定を行うためのメニューが表示され、ＨＤＤ（３）７ｃが存在していることが明らかに分かる。
【００５３】
一方、例えばＨＤＤ（３）７ｃの存在を隠すＨＤＤ隠しモードが設定されているときに、テレビ３０に表示された図６Ｂのメインメニュー画面Ｇ１’において、「タイマ録画予約」が選択された場合、制御部１は、図１５Ｂに示す録画予約リスト画面Ｇ８’をテレビ３０に表示する。録画予約リスト画面Ｇ８’では、録画先としてＨＤＤ（３）７ｃが指定されていないもののみ表示され、ＨＤＤ（３）７ｃの存在が隠匿されている。録画予約リスト画面Ｇ８’において、いずれかのプログラムが選択されると、制御部１は、図１６Ｂに示すような録画予約プログラム画面Ｇ９’をテレビ３０に表示する。録画予約プログラム画面Ｇ９’において、カーソルＫを記録先として指定された「ＨＤＤ（１）」に合わせて選択すると、図１６Ｃに示すように画面Ｇ９’に記録先の候補として「ＨＤＤ（１）」以外に「ＤＶＤ」と「ＨＤＤ（２）」とが表示され、ＨＤＤ（３）７ｃの存在が隠匿される。また、図６Ｂのメインメニュー画面Ｇ１’において、「ディスク／デバイス設定」を決定した場合、制御部１は、図１７Ｂに示すディスク／デバイス設定画面Ｇ１０’をテレビ３０に表示する。ディスク／デバイス設定画面Ｇ１０’では、ＤＶＤ２０、ＨＤＤ（１）７ａ、およびＨＤＤ（２）７ｂの各種設定を行うためのメニューが表示され、ＨＤＤ（３）７ｃの存在が隠匿されている。複数のＨＤＤ（１）７ａ〜ＨＤＤ（３）７ｃの存在を隠すＨＤＤ隠しモードが設定された場合は、上記と同様に該当するＨＤＤ（１）７ａ〜ＨＤＤ（３）７ｃに対するアクセスと該ＨＤＤ（１）７ａ〜ＨＤＤ（３）７ｃの存在を示す情報の表示とが禁止される。
【００５４】
上記のようにすると、ＨＤＤを増設したり、１台のＨＤＤの記録領域をパーティション分けして複数のＨＤＤとみなしたりしても、ユーザが隠匿したいＨＤＤに対して使用権限を有するユーザを認証するパスワードを登録して、ＨＤＤ隠しモードを設定することで、該ＨＤＤに対するアクセスと該ＨＤＤの存在を示す情報の表示とが禁止され、ＨＤＤの存在が隠匿されて、ＨＤＤの保全性を高めることが可能となる。
【００５５】
本発明は、以上の実施形態以外にも種々の形態を採用することができる。例えば、以上の実施形態では、ユーザ認証情報としてパスワードを用いた例を挙げているが、本発明はこれのみに限定するものではなく、これ以外に、例えば暗証番号、特定のキー操作による入力情報、または指紋や声紋や虹彩や静脈といったバイオメトリクス情報等を用いるようにしてもよい。つまり、ユーザ認証情報としては、ＨＤＤの使用権限を有するユーザ個人を認証することが可能な情報であればよい。
【００５６】
また、以上の実施形態では、ＨＤＤ隠し設定メニュー画面Ｇ２、Ｇ７によりＨＤＤ隠しモードを設定したときにのみ、ＨＤＤ７の不正改造等を確認するために認証を行った例を挙げているが、本発明はこれのみに限定するものではなく、隠す対象のＨＤＤの認証は、パスワード入力後のＨＤＤ隠しモードの設定時や解除時にも行うようにしてもよい。
【００５７】
さらに、以上の実施形態では、ＨＤＤ一体型ＤＶＤレコーダから成るＨＤＤ搭載ＡＶ機器１０、１０’、１０”に、本発明を適用した例を挙げているが、本発明は、例えばＨＤＤレコーダ、ビデオ一体型ＨＤＤレコーダ、ＨＤＤおよびビデオ一体型ＤＶＤレコーダ、ＨＤＤ一体型テレビ、ＨＤＤおよびビデオ一体型テレビ、ＨＤＤおよびビデオおよびＤＶＤレコーダ一体型テレビ、またはＨＤＤを搭載したＤＶＤ以外の光ディスクを取り扱い可能なＡＶ機器等のような、ＨＤＤ搭載ＡＶ機器にも適用することができる。
【図面の簡単な説明】
【００５８】
【図１】本発明の実施形態に係るＨＤＤ搭載ＡＶ機器のブロック図である。
【図２】メイン動作の手順を示すフローチャートである。
【図３】ＨＤＤ隠し設定モード処理の手順を示すフローチャートである。
【図４】ＨＤＤ隠しモード自動設定処理の手順を示すフローチャートである。
【図５】タイマ録画処理の手順を示すフローチャートである。
【図６Ａ】通常のメインメニュー画面を示す図である。
【図６Ｂ】ＨＤＤ隠しモードのメインメニュー画面を示す図である。
【図７】ＨＤＤ隠し設定メニュー画面を示す図である。
【図８】ＨＤＤ隠しモード自動設定画面を示す図である。
【図９Ａ】通常の録画予約リスト画面を示す図である。
【図９Ｂ】ＨＤＤ隠しモードの録画予約リスト画面を示す図である。
【図１０Ａ】録画予約プログラム画面を示す図である。
【図１０Ｂ】通常の録画予約プログラム画面を示す図である。
【図１０Ｃ】ＨＤＤ隠しモードの録画予約プログラム画面を示す図である。
【図１１Ａ】通常のディスク／デバイス設定画面を示す図である。
【図１１Ｂ】ＨＤＤ隠しモードのディスク／デバイス設定画面を示す図である。
【図１２】他の実施形態に係るＨＤＤ搭載ＡＶ機器のブロック図である。
【図１３】他の実施形態に係るＨＤＤ搭載ＡＶ機器のブロック図である。
【図１４】他の実施形態に係るＨＤＤ隠し設定メニュー画面を示す図である。
【図１５Ａ】他の実施形態に係る通常の録画予約リスト画面を示す図である。
【図１５Ｂ】他の実施形態に係るＨＤＤ隠しモードの録画予約リスト画面を示す図である。
【図１６Ａ】他の実施形態に係る録画予約プログラム画面を示す図である。
【図１６Ｂ】他の実施形態に係る通常の録画予約プログラム画面を示す図である。
【図１６Ｃ】他の実施形態に係るＨＤＤ隠しモードの録画予約プログラム画面を示す図である。
【図１７Ａ】他の実施形態に係る通常のディスク／デバイス設定画面を示す図である。
【図１７Ｂ】他の実施形態に係るＨＤＤ隠しモードのディスク／デバイス設定画面を示す図である。
【符号の説明】
【００５９】
１  制御部
４  操作部
７  ＨＤＤ
７ａ  ＨＤＤ（１）
７ｂ  ＨＤＤ（２）
７ｃ  ＨＤＤ（３）
８  表示部
９  操作部
１０、１０’、１０”  ＨＤＤ搭載ＡＶ機器
１２  リモコン
３０  テレビ
【図１】
2008090880.tif 000003
【図２】
2008090880.tif 000004
【図３】
2008090880.tif 000005
【図４】
2008090880.tif 000006
【図５】
2008090880.tif 000007
【図６Ａ】
2008090880.tif 000008
【図６Ｂ】
2008090880.tif 000009
【図７】
2008090880.tif 000010
【図８】
2008090880.tif 000011
【図９Ａ】
2008090880.tif 000012
【図９Ｂ】
2008090880.tif 000013
【図１０Ａ】
2008090880.tif 000014
【図１０Ｂ】
2008090880.tif 000015
【図１０Ｃ】
2008090880.tif 000016
【図１１Ａ】
2008090880.tif 000017
【図１１Ｂ】
2008090880.tif 000018
【図１２】
2008090880.tif 000019
【図１３】
2008090880.tif 000020
【図１４】
2008090880.tif 000021
【図１５Ａ】
2008090880.tif 000022
【図１５Ｂ】
2008090880.tif 000023
【図１６Ａ】
2008090880.tif 000024
【図１６Ｂ】
2008090880.tif 000025
【図１６Ｃ】
2008090880.tif 000026
【図１７Ａ】
2008090880.tif 000027
【図１７Ｂ】
2008090880.tif 000028